(57)【要約】【課題】防滴及び防水機能を確保しつつ、画面を回動させることができる表示装置を提供すること。【解決手段】表示部１０、それを支持する表示部支持部２０、装置取付面Ａに固定するための取付部を有する取付支持部３０、及び防滴及び防水機能を有する防護部５０を備え、表示部支持部２０を取付支持部３０に回動可能に接続し、表示部１０の装置取付面Ａに対する角度が調節可能となるようにし、表示部支持部２０と取付支持部３０との間の接続部分の露出を防ぎつつ、表示部支持部２０と取付支持部３０との間の回動動作に合わせて変形するように構成された防護部５０を装備する。【選択図】  図１
2004294754.tif 000002
【特許請求の範囲】
【請求項１】
表示部、
該表示部を支持する表示部支持部、
装置取付面に固定するための取付部を有する取付支持部、及び
防滴及び防水機能を有する防護部を備えた表示装置であって、
前記表示部支持部が前記取付支持部に回動可能に接続されて、前記表示部の前記装置取付面に対する角度が調節可能となっており、
前記防護部が、前記表示部支持部と前記取付支持部との間の接続部分の露出を防ぎつつ、前記表示部支持部との回動動作に合わせて変形するように構成されていることを特徴とする表示装置。
【請求項２】
前記表示部支持部が複数の回動軸を備えており、
前記取付支持部が、前記回動軸のそれぞれに回動可能に接続され、長孔を有するスライド部材、及び該スライド部材の案内溝を備えており、前記長孔には螺子が通され、該螺子は螺子孔に螺合され、前記スライド部材を固定可能になっていることを特徴とする請求項１記載の表示装置。
【請求項３】
表示部、
該表示部を支持する表示部支持部、
装置取付面に固定するための取付部を有する取付支持部、及び
防滴及び防水機能を有する防護部を備えた表示装置であって、
表示装置外部からの操作を受け、該操作に応じて表示装置内部で変位する変位部材を有する切替操作部を備え、
前記変位部材の変位位置に応じて、前記表示部支持部の前記取付支持部に対する回動が許容される許容位置と、回動が禁止される禁止位置とが選択的にとられ、前記許容位置において前記表示部の前記装置取付面に対する角度が調節可能となっており、
前記防護部が、前記表示部支持部と前記取付支持部との間の接続部分の露出を防ぎつつ、前記表示部支持部の回動動作に合わせて変形するように構成されていることを特徴とする表示装置。
【請求項４】
前記表示部支持部が、円弧状凸部と、前記変位部材に接続されて前記円弧状凸部周縁から径方向に突出可能に配設された少なくとも一つの固定用凸部とを備え、
前記取付支持部が、前記円弧状凸部に適合する円弧状凹部と、該円弧状凹部周縁に沿って配設された、前記固定用凸部を受け入れるための複数の固定用凹部とを備え、
前記切替操作部が、前記変位部材或いは前記固定用凸部と前記円弧状凸部との間に介装された弾性部材を備え、
前記許容位置では、前記固定用凸部が前記円弧状凸部周縁内側に収まり、
前記禁止位置では、前記弾性部材によって前記固定用凸部が前記円弧状凸部周縁から径方向に突出するよう付勢されて、前記固定用凸部が前記固定用凹部に挿入されるように構成されていることを特徴とする請求項３記載の表示装置。
【請求項５】
前記防護部が、蛇腹構造で構成されていることを特徴とする請求項１〜４のいずれかの項に記載の表示装置。
【請求項６】
前記表示部がタッチパネルとなっていることを特徴とする請求項１〜５のいずれかの項に記載の表示装置。
【発明の詳細な説明】
【０００１】
【発明の属する技術分野】
本発明は表示装置に関し、より詳細には画面の装置取付面に対する角度の調節が可能な表示装置に関する。
【０００２】
【従来の技術】
近年、液晶ディスプレイ（ＬＣＤ：Ｌｉｑｕｉｄ  Ｃｒｙｓｔａｌ  Ｄｉｓｐｌａｙ）、ＥＬ（Ｅｌｅｃｔｏｒｏ  Ｌｕｍｉｎｅｓｃｅｎｃｅ）ディスプレイなど種々の薄型の表示装置が開発され、工場等で用いられる産業用機器にも搭載されるようになってきている。
【０００３】
このような産業用機器においては、工程管理用の単純な文字やグラフの表示が可能であればよく、価格面が優先され、比較的安価な液晶ディスプレイが用いられる場合が多い。また、液晶ディスプレイの中でも、アクティブ・マトリクス方式を採用し高性能ではあるが高価なＴＦＴ（Ｔｈｉｎ  Ｆｉｌｍ  Ｔｒａｎｓｉｓｔｏｒ）液晶ディスプレイは避けられ、単純マトリクス方式を採用し視野角は狭いが安価なＳＴＮ（Ｓｕｐｅｒ−Ｔｗｉｓｔｅｄ  Ｎｅｍａｔｉｃ）液晶ディスプレイが用いられる傾向が強い。
【０００４】
産業用機器に搭載される場合、これらの表示装置は省スペース化のため、ユーザ用の通路側を向いて工場内に整然と並べられる産業用機器の制御パネルに組み込まれ、産業用機器と共に通路向きに設置されるのが一般的である。
【０００５】
このため、ユーザが画面から遠い操作装置を操作するため、或いは生産物や設備を検査するためなどに、立ち上がったり、屈んだり、別の産業用機器の前に移動したりして、ユーザの視点が画面に対して上下左右に移動した場合、その移動作業位置からの画面の確認は困難又は不可能となり、作業効率が低下してしまうという問題があった。
【０００６】
特に視野角の狭いＳＴＮ液晶ディスプレイを用いた場合、この問題はより顕著となる。また、ＴＦＴ液晶ディスプレイを用いた場合においても、視野角がＳＴＮ液晶ディスプレイよりは広くなるものの、やはり画面を斜めから見ることにより、画面の確認が困難となる課題はあった。
【０００７】
表示装置に対して斜めの位置から画面を良好に確認するための技術として、画面を装置取付面に対して傾斜させるための技術が提案されている。例えば、特開２００１−１５７１９４号公報（特許文献１）には、モニタ表示部の中央部から偏らせた位置にモニタ傾斜用の回転軸を備えたインターホン装置の親機が開示されている。また、特開２０００−１９４２７１号公報（特許文献２）には、画面の支持枠下縁に設けられた回動軸を中心として回動され、視野角の中心を示す光線照射部を備えた表示装置が開示されている。
【０００８】
【特許文献１】
特開２００１−１５７１９４号公報
【特許文献２】
特開２０００−１９４２７１号公報
【０００９】
【発明が解決しようとする課題】
しかしながら、産業用機器によっては、種々の蒸気や液体などの異物が掛かり易い工場内などの過酷な環境下で使用されるものも多く、蒸気や液体などの異物が隙間から表示装置内部に侵入し、表示機能や回動機能を故障させてしまう虞があるため、上記特許文献１又は２に記載されているような表示装置ではこのような過酷な環境下で使用することはできないといった課題があった。
【００１０】
このような過酷な環境下で用いられる表示装置においては、表示装置自体を覆う防滴及び防水用ケースや、表示装置と装置取付面との間の隙間を塞ぐ防滴及び防水用パッキン等の防滴及び防水機構が設けられており、蒸気や液体の表示装置内部への侵入を阻止する構成となっている。このような防滴及び防水機構により防護された表示装置においては、隙間の発生を伴う回動機構を容易に付加することはできないといった課題があった。
【００１１】
このように、従来の技術に係る表示装置においては、防滴及び防水機能を確保しつつ、画面を回動させることはできなかった。したがって、上記のような過酷な環境に設置された表示装置のユーザは、表示装置に対して斜めの視点から画面を確認しつつ、作業を行うことはできなかった。
【００１２】
本発明は上記課題に鑑みなされたものであって、防滴及び防水機能を確保しつつ、画面を回動させることができる表示装置を提供することを目的としている。
【００１３】
【課題を解決するための手段及びその効果】
上記目的を達成するために本発明に係る表示装置（１）は、表示部、該表示部を支持する表示部支持部、装置取付面に固定するための取付部を有する取付支持部、及び防滴及び防水機能を有する防護部を備えた表示装置であって、前記表示部支持部が前記取付支持部に回動可能に接続されて、前記表示部の前記装置取付面に対する角度が調節可能となっており、前記防護部が、前記表示部支持部と前記取付支持部との間の接続部分の露出を防ぎつつ、前記表示部支持部との回動動作に合わせて変形するように構成されていることを特徴としている。
【００１４】
上記表示装置（１）によれば、表示部を支持する表示部支持部と装置取付面に固定するための取付部を有する取付支持部とが回動可能に接続され、この接続部分が回動動作に合わせて変形する防護部によって防護されているので、防滴及び防水機能を確保しつつ、画面を回動させることができる。したがって、種々の蒸気や液体などの異物が掛かり易い工場内などの過酷な環境下で、表示装置に対して斜めの視点から画面を確認しつつ、作業を行うことができる。
【００１５】
また、本発明に係る表示装置（２）は、上記表示装置（１）において、前記表示部支持部が複数の回動軸を備えており、前記取付支持部が、前記回動軸のそれぞれに回動可能に接続され、長孔を有するスライド部材、及び該スライド部材の案内溝を備えており、前記長孔には螺子が通され、該螺子は螺子孔に螺合され、前記スライド部材を固定可能になっていることを特徴としている。
【００１６】
上記表示装置（２）によれば、回動軸、該回動軸に接続されたスライド部材、スライド部材の案内溝、及び該スライド部材を固定可能とする螺子及び螺子孔という簡潔で安価な構成により、画面の回動機構を構成することができる。
【００１７】
本発明に係る別の表示装置（３）は、表示部、該表示部を支持する表示部支持部、装置取付面に固定するための取付部を有する取付支持部、及び防滴及び防水機能を有する防護部を備えた表示装置であって、表示装置外部からの操作を受け、該操作に応じて表示装置内部で変位する変位部材を有する切替操作部を備え、前記変位部材の変位位置に応じて、前記表示部支持部の前記取付支持部に対する回動が許容される許容位置と、回動が禁止される禁止位置とが選択的にとられ、前記許容位置において前記表示部の前記装置取付面に対する角度が調節可能となっており、前記防護部が、前記表示部支持部と前記取付支持部との間の接続部分の露出を防ぎつつ、前記表示部支持部の回動動作に合わせて変形するように構成されていることを特徴としている。
【００１８】
上記表示装置（３）によれば、前記許容位置において前記表示部支持部の前記取付支持部に対する回動が許容されるようになっており、前記表示部支持部と前記取付支持部との間の接続部分が回動動作に合わせて変形する防護部によって防護されているので、防滴及び防水機能を確保しつつ、画面を回動させることができる。したがって、種々の蒸気や液体などの異物が掛かり易い工場内などの過酷な環境下で、表示装置に対して斜めの視点から画面を確認しつつ、作業を行うことができる。
【００１９】
さらに、表示装置外部からの操作を受け、回動が許容される許容位置と、回動が禁止される禁止位置とを選択的にとる変位部材を表示装置内部で変位させる切替操作部を備えているので、画面の回動の許容と禁止とを外部から容易に切り替えることができる。
【００２０】
また、本発明に係る表示装置（４）は、上記表示装置（３）において、前記表示部支持部が、円弧状凸部と、前記変位部材に接続されて前記円弧状凸部周縁から径方向に突出可能に配設された少なくとも一つの固定用凸部とを備え、前記取付支持部が、前記円弧状凸部に適合する円弧状凹部と、該円弧状凹部周縁に沿って配設された、前記固定用凸部を受け入れるための複数の固定用凹部とを備え、前記切替操作部が、前記変位部材或いは前記固定用凸部と前記円弧状凸部との間に介装された弾性部材を備え、前記許容位置では、前記固定用凸部が前記円弧状凸部周縁内側に収まり、前記禁止位置では、前記弾性部材によって前記固定用凸部が前記円弧状凸部周縁から径方向に突出するよう付勢されて、前記固定用凸部が前記固定用凹部に挿入されるように構成されていることを特徴としている。
【００２１】
上記表示装置（４）によれば、前記円弧状凸部、及び該円弧状凸部に適合する前記円弧状凹部により、前記表示部支持部の前記取付支持部に対する回動を安定して行うことができる。また、固定用凸部と円弧状凸部との間に弾性部材が設けられているので、固定用凸部と固定用凹部との嵌入位置がずれている場合、弾性部材によって固定用凸部を円弧状凹部側に付勢させつつ回動位置を調節することができ、この場合、嵌入位置を合わすだけで、固定用凸部を固定用凹部に挿入させることができる。
【００２２】
また、本発明に係る表示装置（５）は、上記表示装置（１）〜（４）のいずれかにおいて、前記防護部が、蛇腹構造で構成されていることを特徴としている。
上記表示装置（５）によれば、防護部が、回動と共に変形しても蛇腹構造による美観を保ちつつ、防滴及び防水機能を維持することができる。
【００２３】
また、本発明に係る表示装置（６）は、上記表示装置（１）〜（５）のいずれかにおいて、前記表示部がタッチパネルとなっていることを特徴としている。
上記表示装置（６）によれば、表示装置に対して斜めの視点から画面を確認するだけでなく、画面操作を行うことができることとなる。
【００２４】
【発明の実施の形態】
以下、本発明に係る表示装置の実施の形態を図面に基づいて説明する。
図１（ａ）は、実施の形態（１）に係る表示装置が制御パネルに組み込まれた状態を示す斜視図であり、図１（ｂ）は図１（ａ）に示した表示装置の側面図である。図２は図１（ａ）に示した表示装置の側断面図である。
【００２５】
図中１は、実施の形態（１）に係る表示装置を示しており、表示装置１は、表示部１０、表示部１０を支持する表示部支持部２０、装置取付面Ａに固定するための取付部３１を有する取付支持部３０、及び防滴及び防水機能を有する防護部５０を備えている。
【００２６】
表示部１０は、液晶ディスプレイ等の薄型の表示デバイスやタッチパネル、操作部、これらを覆う筐体等を含んで構成されている。
表示部支持部２０は、表示部１０を支持するためのものであり、本実施の形態では、左右に各２本の回動軸２１を備えている。
取付支持部３０は、取付部３１、回動係止部３３、及びフレーム部３４を備えており、プリント基板等が内装され、フレーム部３４に固定されたボックス部３２が装置取付面Ａに形成された挿入孔Ａ０内に収まるように設置され、取付部３１で装置取付面Ａに固定されるようになっている。
【００２７】
取付部３１は、ボルト３１ａ、ボックス部３２に固定されボルト３１ａの貫通孔を有するボルト支持体３１ｂ、装置取付面Ａに設けられて、ボルト３１ａが螺合する螺子孔（図示せず）、及び装置取付面Ａとフレーム部３４との間に介装され、蒸気や液体などの異物の侵入を防ぐパッキン３１ｄを含んで構成されている。
【００２８】
回動係止部３３は、回動軸２１のそれぞれに回動可能に接続され、長孔３３ｂを有するスライド部材３３ａ、及び螺子３３ｃ及びフレーム部３４に形成されたスライド部材３３ａを案内する案内溝（図示せず）を備えている。長孔３３ｂには螺子３３ｃが通され、螺子３３ｃはボックス部３２に形成された螺子孔（図示せず）に螺合され、スライド部材３３ａをボックス部３２に固定するようになっている。
【００２９】
表示部支持部２０は、回動軸２１を介して回動係止部３３に回動可能に接続されており、表示部１０の装置取付面Ａに対する角度が自在に調節可能となっている。
【００３０】
防護部５０は、蛇腹構造で構成されており、表示部支持部２０と取付支持部３０との間の接続部分の露出を防ぎつつ、表示部支持部２０の回動動作に合わせて蛇腹構造が変形するように構成されている。本実施の形態において蛇腹構造は、取付支持部３０のフレーム部３４と表示部１０の裏面との間を覆うように構成されているが、別の実施の形態では取付支持部３０の他の部位と表示部１０の他の部位との間、或いは取付支持部３０の他の部位と表示部支持部２０のいずれかの部位との間を覆うように構成されていてもよい。また、蛇腹構造とはなっていない筒状の柔軟な素材で防護部５０を構成してもよい。
【００３１】
このように構成された実施の形態（１）に係る表示装置によれば、螺子３３ｃをゆるめておけば、表示部１０を把持して傾けることにより、表示部支持部２０を取付支持部３０のスライド部材３３ａに対して回動させることができる。そして、適切な回動位置を決定して、螺子３３ｃを締め付けることによってスライド部材３３ａをボックス部３２に固定することができる。本実施の形態では、表示部１０の上部左右２箇所と下部左右２箇所とでスライド部材３３ａの固定を行っており（図示では各１箇所）、これにより表示部支持部２０は、任意の回動状態を保ったまま、ボックス部３２に固定される。
【００３２】
実施の形態（１）に係る表示装置によれば、表示部１０を支持する表示部支持部２０と回動係止部３３とが回動可能に接続され、この接続部分が回動動作に合わせて変形する防護部５０によって防護されているので、防滴及び防水機能を確保しつつ、表示部１０を回動させることができる。したがって、種々の蒸気や液体などの異物が掛かり易い工場内などの過酷な環境下であっても、表示装置１に対して斜めの視点から画面１１を確認しつつ、作業を行うことができる。特に、表示部１０がタッチパネルとなっている場合には、表示装置１に対して斜めの視点から画面１１を確認するだけでなく、画面操作を行うことができる。
【００３３】
また、実施の形態（１）に係る表示装置１によれば、表示部支持部２０、回動軸２１、回動軸２１に接続されたスライド部材３３ａ、スライド部材３３ａの案内溝、及びスライド部材３３ａをボックス部３２に固定するための螺子３３ｃ及び螺子孔という簡潔で安価な構成により、表示部１０の回動機構を構成することができる。さらに、防護部５０が蛇腹構造であるので、表示部１０の回動と共に変形しても蛇腹構造による美観を保ちつつ、防滴及び防水機能を維持することができる。
【００３４】
図３（ａ）は、本発明の実施の形態（２）に係る表示装置が制御パネルに組み込まれた状態を示す斜視図であり、図３（ｂ）は図３（ａ）に示した表示装置の側面図である。図４は、図３（ａ）に示した表示装置の側断面図である。図５（ａ）及び（ｂ）は、図４に示した表示装置における表示部支持部の拡大側面図であり、図６（ａ）は、図４に示した表示装置における取付支持部の正面図、図６（ｂ）はその拡大側面図である。
【００３５】
図中１０１は、実施の形態（２）に係る表示装置を示しており、表示装置１０１は、表示部１１０、表示部１１０を支持する表示部支持部１２０、装置取付面Ａに固定するための取付部１３１を有する取付支持部１３０、切替操作部１４０及び防滴及び防水機能を有する防護部１５０を備えている。表示部１１０、及び防護部１５０については上述した実施の形態（１）の場合と同様であるので、ここではその説明を省略する。
【００３６】
表示部支持部１２０は、表示部１１０を支持するための回動芯部１２３（図５）を備えている。回動芯部１２３は、円弧状凸部１２１と、円弧状凸部１２１周縁から径方向に突出可能に配設された固定用凸部１２２とを備えている。図５では固定用凸部１２２が６つの場合を図示しているが少なくとも１つあればよい。
【００３７】
取付支持部１３０は、取付部１３１、回動鞘部１３３、及びフレーム部１３４を備えている。本実施の形態においても、プリント基板等が内装され、フレーム部１３４に固定されたボックス部１３２が装置取付面Ａに形成された挿入孔Ａ０内に収まるように設置され、取付部１３１で装置取付面Ａに固定されるようになっている。取付部１３１についても、上述した実施の形態（１）の場合と同様であるので、ここではその説明を省略する。
【００３８】
回動鞘部１３３は、フレーム部１３４に設けられており、回動芯部１２３の円弧状凸部１２１に適合する円弧状凹部１３５と、円弧状凹部１３５周縁に沿って配設された、固定用凸部１２２を受け入れるための固定用凹部１３６とを備えており、回動芯部１２３と回動可能に接続されている。
【００３９】
切替操作部１４０は、表示装置１０１外部からの操作を受け、該操作に応じて表示装置１０１内部で変位する変位部材となる第１リンク１４１、及び第１リンク１４１と回動軸１４３で回動自在に接続された第２リンク１４２、及び円弧状凸部１２１と固定用凸部１２２との間に介装された弾性部材１４４を備えている。固定用凸部１２２は、弾性部材１４４を介して第２リンク１４２に接続されている。別の実施の形態において、第１リンク１４１又は第２リンク１４２のような変位部材と円弧状凸部１２１との間に弾性部材を介装することもできる。
【００４０】
また、切替操作部１４０は、操作部１４５を備えており、操作部１４５は、防護部１５０と表示部１１０との間から表示装置１０１の側面から外部に突出している。操作部１４５は、押しボタンで構成されており、操作部１４５が表示装置１０１内部方向に押されると、図５（ｂ）に示すように第１リンク１４１及び第２リンク１４２が表示部１１０方向にスライドし、操作部１４５を離すと弾性部材１４４のバネ力により表示装置１０１外部方向に戻り、これに連動して、図５（ａ）に示すように第１リンク１４１及び第２リンク１４２が表示部１１０と反対方向にスライドするようになっている。
【００４１】
このように構成された実施の形態（２）に係る表示装置によれば、操作部１４５が表示装置１０１内部方向に押されると、第１リンク１４１及び第２リンク１４２が弾性部材１４４を引き延ばす方向に変位し、これによって固定用凸部１２２が円弧状凸部１２１周縁内側に収まり、表示部支持部１２０と取付支持部１３０とは、これらの間の回動が許容される許容位置をとる。
【００４２】
また、操作部１４５を表示装置１０１外部方向に戻すと、第１リンク１４１及び第２リンク１４２が弾性部材１４４のバネ力によって、固定用凸部１２２が円弧状凸部１２１周縁から径方向に突出するよう付勢されて、図５（ａ）に示す位置に戻り、これによって固定用凸部１２２が回動位置に対応した固定用凹部１３６に挿入され、表示部支持部１２０と取付支持部１３０とは、これらの間の回動が禁止される禁止位置をとる。即ち、操作部１４５を操作することにより、表示部支持部１２０と取付支持部１３０とが、表示部１１０における画面１１１の装置取付面Ａに対する角度が調節可能となるように、回動が許容される許容位置になったり、回動が禁止される禁止位置になったりするようになっている。
【００４３】
このように構成された実施の形態（２）に係る表示装置によれば、許容位置において表示部支持部１２０の取付支持部１３０に対する回動が許容されるようになっており、表示部支持部１２０と取付支持部１３０との間の接続部分が回動動作に合わせて変形する防護部１５０によって防護されているので、防滴及び防水機能を確保しつつ、画面１１１を回動させることができる。したがって、種々の蒸気や液体などの異物が掛かり易い工場内などの過酷な環境下で、表示装置１０１に対して斜めの視点から画面１１１を確認しつつ、作業を行うことができる。
【００４４】
さらに、表示装置１０１外部からの操作を受け、回動が許容される許容位置と、回動が禁止される禁止位置とを選択的にとる変位部材を表示装置１０１内部で変位させる切替操作部１４０を備えているので、画面１１１の回動の許容と禁止とを外部から容易に切り替えることができる。特に本実施の形態では、円弧状凸部１２１を有する回動芯部１２３及び円弧状凸部１２１に適合する円弧状凹部１３５を有し、回動芯部１２３と回動可能に接続された回動鞘部１３３を備えているので安定した回動動作を実現することができる。また、固定用凸部１２２と円弧状凸部１２１との間に弾性部材１４４が介装されているので、固定用凸部１２２と固定用凹部１３６との嵌入位置がずれている場合、弾性部材１４４によって固定用凸部１２２を円弧状凹部１３５側に付勢させつつ回動位置を調節することができ、この場合、嵌入位置を合わすだけで、固定用凸部１２２を固定用凹部１３６に挿入させることができる。
【００４５】
以上、本発明の実施の形態について一例を示したが、本発明は上述した実施の形態の範囲に限定されない。上述した実施の形態以外から種々の変更が可能である。
例えば、回動機構は、球面状の回動端とその受け部など、種々の形態に置き換え可能である。また、切替操作部は、装置外部からの力学的な変位により装置内部の変位部材を変位させるもの以外にも、装置外部から電波等の信号を受信して、これにより変位部材を変位させるように構成されていてもよい。
【図面の簡単な説明】
【図１】（ａ）は、本発明の実施の形態（１）に係る表示装置が制御パネルに組み込まれた状態を示す斜視図であり、（ｂ）は（ａ）に示した表示装置の側面図である。
【図２】図１（ａ）に示した表示装置の側断面図である。
【図３】（ａ）は、本発明の実施の形態（２）に係る表示装置が制御パネルに組み込まれた状態を示す斜視図であり、（ｂ）は（ａ）に示した表示装置の側面図である。
【図４】図３（ａ）に示した表示装置の側断面図である。
【図５】（ａ）及び（ｂ）は、図４に示した表示装置における表示部支持部の拡大側面図である。
【図６】（ａ）は、図４に示した表示装置における取付支持部の正面図、（ｂ）はその拡大側面図である。
【符号の説明】
１、１０１  表示装置
１０  、１１０  表示部
２０、１２０  表示部支持部
２１  回動軸
１２１  円弧状凸部
１２２  固定用凸部
１２３  回動芯部
３０、１３０  取付支持部
３３  回動係止部
３３ａ  スライド部材
３３ｂ  長孔
３３ｃ  螺子
１３５  円弧状凹部
１３６  固定用凹部
１３３  回動鞘部
５０、１５０  防護部
１４０  切替操作部
１４１  第１リンク（変位部材）
１４２  第２リンク（変位部材）
１４４  弾性部材
【図１】
2004294754.tif 000003
【図２】
2004294754.tif 000004
【図３】
2004294754.tif 000005
【図４】
2004294754.tif 000006
【図５】
2004294754.tif 000007
【図６】
2004294754.tif 000008